(57)【特許請求の範囲】
【請求項１】
インターホンシステムにおける信号線の回線電圧を現データとして所定間隔でサンプリングする毎に、この現データより所定時間前にサンプリングした回線電圧を前データとして取り込み、
これらのデータの差分を算出してから、その差分を予め設定した判別基準に照らして呼出ありを判別する処理を繰り返し行い、
このような判別処理の結果、呼出ありの判別結果が所定回数連続して得られたときにドアホン子器からの呼出を検知し、
上記判別基準は、呼出あり、呼出なし、ノイズありの３種の状態を判別するためのしきい値を設けており、上記判別処理の結果、呼出なしと判別されたときにはその判別回数をクリアする一方、ノイズありと判別されたときには、その判別回数をクリアせずにスキップすることを特徴としたインターホンシステムにおける呼出検知方法。
【請求項２】
インターホンシステムにおける信号線の回線電圧を現データとしてサンプリングする毎に、この現データよりも前にサンプリングした回線電圧を基準データとして取り込み、
これらのデータの差分を算出してから、その差分を予め設定した判別基準に照らして呼出ありを判別する処理を繰り返し行い、
このときの判別処理によって、呼出ありの判別結果が所定回数連続して得られたときにドアホン子器からの呼出を検知する基本動作をなし、
上記した判別結果が呼出なし以外の状態になった場合には、上記基準データを、その直前に呼出なしと判断されたときの値に保持して、次のサンプリングを行って判別処理を行う一方、
呼出なしが所定回数以上連続したときには、上記基準データを、次の判別時にサンプリングされる現データよりも所定時間前にサンプリングされた値に変更設定することを特徴とするインターホンシステムにおける呼出検知方法。
【請求項３】
インターホンシステムにおける信号線の回線電圧を現データとしてサンプリングする毎に、この現データよりも前にサンプリングした回線電圧を基準データとして取り込み、
これらのデータの差分を算出してから、その差分を予め設定した判別基準に照らして呼出あり、呼出なし、ノイズありの３種の状態を判別する動作を繰り返し行い、
このときの判別処理によって、呼出ありの判別結果が所定回数連続して得られたときにドアホン子器からの呼出を検知する基本動作をなし、
上記した判別結果が呼出あり、ノイズあり、の状態になった場合には、上記基準データを、その直前に呼出なしと判断されたときの値に保持して、次のサンプリングを行って判別処理を行う一方、
呼出なしが所定回数以上連続したときには、上記基準データを、次の判別時にサンプリングされる現データよりも所定時間前にサンプリングされた値に変更設定することを特徴とするインターホンシステムにおける呼出検知方法。
【請求項４】
上記インターホンシステムは、カメラ付ドアホン子器とモニタテレビ付インターホン親機とを２線式信号線で接続し、２線式信号線に映像信号、通話信号、カメラ駆動電源を重畳した多重信号を伝送して、モニタテレビに映し出された映像を見ながら、上記インターホン親機とドアホン子器との間で相互通話を可能とした２線式テレビインターホンシステムとして構成されていることを特徴とする請求項１〜３のいずれかに記載のインターホンシステムにおける呼出検知方法。
【発明の詳細な説明】
【０００１】
【発明の属する技術分野】
本発明はテレビインターホンシステムを含むインターホンシステムにおける呼出検知方法に関する。
【従来技術】
２線式テレビインターホンシステムを例に採ると、このシステムでは、図８に示すように、室内にはモニタスイッチ１１、通話のためのマイク、スピーカを備えたハンドセット１２、モニタテレビ１３を設けたテレビ付インターホン親機Ｂを設置し、玄関先には呼出釦２１、通話のためのマイク２２、スピーカ２３、テレビカメラ２４を設けたカメラ付ドアホン子器Ａを設置して、これらを２線式信号線Ｌで接続して構成されている。
【０００２】
そして、これらのインターホンシステムでは、玄関先のカメラ付ドアホン子器Ｂから室内のテレビ付インターホン親機Ａを呼び出すと、テレビ付インターホン親機Ｂからカメラ付ドアホン子器Ａにはカメラ電源が供給されて、カメラ２４を駆動すると同時にマイク２２、スピーカ２３を駆動し、カメラ付ドアホン子器Ａのカメラ２４で撮像した来訪者の映像をテレビ付インターホン親機Ｂのモニタテレビ１３に映し出し出来るようになっており、カメラ付ドアホン子器Ａの呼出しに対してモニタテレビ付インターホン親機Ｂで応答すれば、室内からは来訪者の映像を確認しながら相互に通話が出来る。
【０００３】
図９は、このような２線式テレビインターホンシステムにおける回線端の信号スペクトラムを示している。
【０００４】
カメラから伝送されて来る映像信号（ベースバンド信号）に、音声信号をＦＭ変調して多重化伝送しており、インターホン親機Ｂからドアホン子器Ａへの音声信号で第１のキャリアｆ１を変調し、ドアホン子器Ａからインターホン親機Ｂの音声信号で第２のキャリアｆ２を変調して、いわゆるＦＭ搬送波周波数を異ならせることにより、ドアホン子器Ａとインターホン親機Ｂ間の双方向同時通話を可能としている。
【０００５】
【発明が解決しようとする課題】
図１０は、このような２線式インターホンシステムにおける信号線の回線電圧の変化を示しており、通話のない待機時にはＤＣ６Ｖの電源がインターホン親機よりドアホン子器に供給されており、ドアホン子器の呼出釦が押され、「呼出」がなされると、回線電圧はＤＣ３Ｖ程度まで低下し、通話のためにモニタテレビに映像が映し出されると（あるいはインターホン親機のモニタスイッチを操作してモニタテレビに映像を映し出す）、カメラ電源が供給されるためＤＣ１５Ｖまで上昇する。そして、この状態で再びカメラ付ドアホン子器の呼出釦を操作すると、「再呼出」となり、回線電圧はＤＣ１４Ｖ程度に変化する。
【０００６】
ところで、このような２線式テレビインターホンシステムでは、ドアホン子器からの呼出を検知することがシステムの基本動作上必要とされ、従来から２線式信号線に生じる回線電圧の変化を電圧判別回路で判別して、呼出しを検知する方法が採用されている。
【０００７】
すなわち従来の電圧判別回路では、図１１に示したように、「呼出」、「再呼出」の検出のために２つのしきい値ＶＴＨ１，ＶＴＨ２を予め設定しており、回線電圧が待機時のレベルから呼出のしきい値ＶＴＨ１より下がった場合には呼出あり、回線電圧が映像通話時あるいはモニタ時から再呼出のしきい値ＶＴＨ２より下がった場合には、再呼出ありの判断を行っている。
【０００８】
しかしながら、このような方法で「呼出」や「再呼出」を検知する場合、ノイズによる影響を受けやすく、特に図１１に示したように、回線電圧にノイズが混入した場合には、映像信号が重畳される映像通話時やモニタ時においては再呼出を検知することは難しく、誤判断を生じやすく検知ミスを生じやすいという問題があった。
【０００９】
【課題を解決するための手段】
本発明は、上記した問題を解決するために提案されるもので、２線式テレビインターホンシステムに限られず、通常のインターホンシステムにも適用でき、マイコンによるソフト処理によってサンプリングした回線電圧の変化を予め設定された判別基準に照らし判別して呼出検知を行うものである。
【００１０】
すなわち、請求項１において提案された本発明は、信号線の回線電圧を現データとして所定間隔でサンプリングする毎に、この現データより所定時間前にサンプリングした回線電圧を前データとして取り込み、このようにして取り込んだ２つのデータの差分を算出し、その差分を予め設定した判別基準に照らして呼出ありを判別する動作を繰り返し行い、このような判別処理の結果、呼出ありの判別結果が所定回数連続して得られたときにドアホン子器からの呼出を確定させ検知することを特徴としている。
【００１１】
本発明では、このような処理手順で、信号線の回線電圧をサンプリングしながら、ドアホン子器からの呼出を検知するので、しきい値を固定して回線電圧のレベルを比較判別する従来の方法に比べて、ノイズの影響も受けにくく、信頼性が良い。
また、平滑回路によって信号線の回線電圧を安定化させる必要がないので、ハード構成も簡単に出来、しかもマイコンによるソフト処理が可能であるため、システムを大型化させることなく、容易に実現出来る。
【００１２】
また、上記判別基準には、呼出あり、呼出なし、ノイズありの３種の状態を判別するためのしきい値を設けており、判別処理において、呼出なしと判別されたときには、その判別回数をクリアする一方、ノイズありと判別されたときには、呼出ありの判別回数をクリアせずにスキップすることを特徴としている。
【００１３】
この方法では、ノイズの生じやすい悪条件下においても、検知ミスを生じることなく、呼出検知が行え、特に、ドアホン子器の呼出以外に、ノイズの発生、呼出なしの状態も判別できるので、この判別結果を利用すれば他の種々の制御を行うことも出来る。
【００１４】
また、呼出ありの判別回数は、呼出なしを一度でも判断した場合には、呼出ありの判別回数をクリアするが、ノイズありを判断した場合には、呼出ありの判別回数をクリアせずにスキップしているので、ドアホン子器の呼出釦が操作され、呼出ありが正しく判別された後に、突発的なノイズが混入しても呼出ありの判別回数がクリアされることがないので、呼出検知をミスすることがなく、迅速な処理が可能となる。
【００１５】
請求項２において提案された本発明は、信号線の回線電圧をサンプリングして現データとし、この現データよりも前にサンプリングされた回線電圧を基準データとして取り込み、これらのデータの差分を算出してから、その差分を予め設定した判別基準に照らして呼出を判別する動作を繰り返し行い、このときの判別動作によって、呼出ありの判別結果が所定回数連続して得られたときにドアホン子器からの呼出を確定検知する基本動作をなすが、特に基準データは請求項１における前データとは異なり判別結果によって変更設定される。
すなわち、この方法では、現データとの差を求めるために用いられる基準データは、判別結果が呼出なし以外の状態になった場合には、その直前に呼出なしと判断されたときの値に保持されて、次のサンプリングを行って、判別処理呼出がなされるが、呼出なしが所定回数以上連続したときには、次の判別時にサンプリングされる現データよりも所定時間前にサンプリングされた値に変更設定されて、次のサンプリングが行なわれ、判別処理がなされる。
【００１６】
この方法では、呼出なしの判別結果が所定回数連続して継続した場合は、回線電圧が安定した状態にあると判断されて、基準データは、そのときサンプリングされた現データに対して所定時間前にサンプリングされたデータに順次更新されるが、判別結果において呼出なし以外の結果が出た場合には、その直前のサンプリング時において用いられた基準データがそのまま用いられ、次のサンプリングがなされ判別処理が行われる。
【００１７】
したがって、このような方法では、サンプリングされた現データに対して差分を求めるために用いられる基準データとしては、回線電圧が安全な状態にあるときにサンプリングされたデータが使用されるため、ノイズが混入した基準データを用いて誤判断することが防止でき、より信頼性が向上する。
【００１８】
更に請求項３において提案された本発明は、請求項２と同様に現データとの間で差を算出するデータとして基準データが使用されており、判別処理では、現データと前データとの差分を算出し、その差分を予め設定した判別基準に照らして呼出あり、呼出なし、ノイズありの３種の状態を判別しているため、呼出あり以外の状態も判別でき、他の制御に利用できる。
【００１９】
また、請求項２において提案された方法と同様に、呼出なしの判別結果が所定回数連続して継続した場合は、回線電圧が安定した状態にあると判断されて、基準データは順次更新されるが、判別結果において呼出あり、ノイズあり、の結果が出た場合には、基準データは、回線電圧が安定化し、呼出なしの判別結果を得た直前の判別時に用いられた値に保持される。
このため、回線電圧が安全な状態にあるときにサンプリングされたデータが基準データとして順次更新されて使用され、ノイズが混入した基準データを用いて誤判断することが防止できるので、より信頼性が向上する。
【００２０】
請求項４において提案された本発明は、２線式テレビインターホンシステムにおいて適用するもので、特にドアホン子器のテレビカメラが駆動されている通話時やモニタ時においても、待機時と同様な処理手順で、ノイズの影響を受け易い再呼出を検知することができる。
【００２１】
【発明の実施の形態】
以下、本発明の実施形態について説明する。
【００２２】
図１は本発明方法におけるデータ処理の基本原理を示している。
【００２３】
本発明方法では、信号線の回線電圧は、所定時間間隔、例えば１０ｍｓｅｃの間隔でサンプリングされ、デジタル信号としてレジスタメモリＬＭに順次取り込まれる。ここにレジスタメモリＬＭは、サンプリングされた回線電圧がデジタル変換される毎に、順次シフトされ、サンプリングされた現データＶ（ｔ）から、所定時間前、例えば５０ｍｓｅｃ前にサンプリングされ、デジタル信号に変換された回線電圧が最も古い前データＶ（ｔ−５０）として格納される。
【００２４】
このようにしてレジスタメモリＬＭ内に格納された、現データＶ（ｔ）と前データＶ（ｔ−５０）とは減算回路１によって、その差ΔＶ＝Ｖ（ｔ）−Ｖ（ｔ−５０）が算出され、この差ΔＶは状態判別回路２において、予め準備された判別基準と比較参照されて、ドアホン子器からの呼出があったかどうかの判断がなされる。
【００２５】
図２は、呼出検知方法において使用される判別基準を示している。この判別基準は、信号線の回線電圧が、待機時における呼出は６Ｖから３Ｖに低下し、またカメラ駆動時における再呼出は、１５Ｖから１４Ｖに低下することを前提として設定され、呼出あり、呼出なしについては、−０．１Ｖを基準にしてΔＶが判別され、例えばΔＶ＜−１．０Ｖの場合には呼出あり、ΔＶ≧−１．０Ｖの場合には呼出なしと判別しているが、回線電圧へのノイズの混入を考慮して１回の判別結果では確定せず、呼出ありの判別結果が予め設定した回数、例えば４回連続した場合にはじめて呼出ありを確定し、呼出を検知するようになっている。
そして、呼出ありが４回連続して計数されるまでに、呼出なしが判別された場合には、呼出ありの計数はキャンセルされている。
このような方法によれば、しきい値を固定した従来の検知方法に比べて、ノイズの影響を受けにくいものに出来るとともに、ＣＰＵを使用したプログラム処理が出来る。
【００２６】
図３は、請求項１において提案される呼出検知方法において使用される判別基準を示したものである。
この判別基準は試験データによって定められ、請求項１の場合と同様にして求めたΔＶが０．１Ｖ，０Ｖ，−０．１Ｖ，−１．０Ｖをしきい値として判断される。
【００２７】
試験データによれば、ΔＶが−０．１Ｖ〜０．１Ｖの間にあるときには、誤差範囲と見て呼出なし、ΔＶ＜−０．１Ｖの場合には呼出釦の押下げによって十分な電圧低下を生じたものと判断して呼出あり、−１．０Ｖ≦ΔＶ≦−０．１Ｖの間及びΔＶ＞０．１Ｖの場合は、ノイズによるエラーと判断している。
【００２８】
このようにして、ΔＶを図３に示した判別基準に照らして、呼出あり、呼出なし、ノイズありの状態が判別出来るので、これらの判別結果を他の制御に利用することも出来る。また、この方法では、ノイズの影響をなくすため、呼出ありについては連続して４回継続したときに確定しているが、ノイズありについては呼出ありの計数をクリアすることなくスキップしており、呼出なしと判断したときには呼出ありの計数をクリアしている。
【００２９】
図４のステップ１００〜１０７は、この場合の検知方法の基本手順をフローチャートをもって示しており、図３に示した判別基準に照らして、呼出ありの判別結果が得られる毎に、カウンタはインクリメントされ、途中で呼出なしを判別したときにはカウンタの計数値はクリアされるが、ノイズありの判別の場合には、カウンタはインクリメントもクリアもされずにスキップされる。また、カウンタの計数値が４になった時点で呼出の確定をしている。
【００３０】
図５は、本発明方法の適用される２線式テレビインターホンシステムの基本構成を示している。
【００３１】
玄関先に設置されるカメラ付ドアホン子器Ａは、マイクＭ１２、スピーカＳＰ２を備えた通話回路５０と、ＣＣＤ６１に映像信号処理回路６２を備えたカメラ制御回路６０、呼出釦ＳＷ２及びカメラ制御回路６０から送出される映像信号に、通話回路５０に送受される通話信号を重畳あるは分離するための多重化回路７０を備えている。また、通話回路５０にはマイクＭ１２より入力された音声をキャリアｆ２で変調するための発振・変調回路５６と、多重化回路７０よりインターホン親機Ｂの発振・変調回路１１で変調され、マイクＭ１１から入力された音声信号で変調されたキャリアｆ１を分離する帯域フィルタ５５と、スピーカＳＰ２より出力するための音声信号を出力する復調回路５１、アンプ５３を備えている。
【００３２】
一方の室内に設置されるモニタテレビ付インターホン親機Ｂは、モニタテレビ２１、表示部駆動回路２２を備えたモニタテレビ制御回路２０、マイクＭ１１、スピーカＳＰ１を備えた通話回路１０、ＣＰＵで構成された信号処理部３１に、多重化回路３０を備えている。また、通話回路１０には、ドアホン子器Ａに対応して、発振・変調回路１１と、帯域フィルタ１６、復調回路１４、アンプ１５を設けている。
【００３３】
更に、２線式信号線Ｌに信号伝送のための直流電源と、カメラ電源を供給するための直流電源供給回路３２、ドアホン子器Ａ側からの呼出時にスピーカＳＰより呼出音を発生するためのチャイム音発生回路３３、ドアホン子器Ａのカメラを駆動して、来訪者の映像をモニタテレビ２１に映し出すためのモニタスイッチＳＷ１を備えている。
【００３４】
このような構成のドアホン子器とインターホン親機Ｂとは、２線式信号線Ｌで接続され、インターホン親機Ｂからドアホン子器Ａには、２線式信号線Ｌを通じて、待機時の電源が直流電源供給回路３２から供給されており、ドアホン子器Ａの呼出釦ＳＷ２が操作されたときに呼出を検出するようになっており、２線式信号線Ｌの回線電圧は電圧検出回路３によって常時監視されている。
ここに、電圧検出回路３で検出された回線電圧は、信号処理部３１が処理できるレベルに低下され、更にデジタル信号に変換され、上記したような検知方法が実行される。
【００３５】
このような２線式テレビインターホンシステムでは、２線式信号線Ｌには、いわゆる多重伝送方式によって通話信号、映像信号に加えて、カメラ駆動電源が重畳されて伝送されており、待機時、呼出時、映像通話時、モニタ時には、図１０で示したような回線電圧が２線式信号線Ｌに生じるので、電圧検出回路３では、このときの電圧変化を検知し、信号処理部３１ではソフト処理によって本発明方法が実行され、呼出の検知がなされる。
【００３６】
以上の本発明方法では、サンプリングされた現データに対する前データは、回線電圧の安定した状態にサンプリングされた値を用いることを前提としたものであり、回線電圧が不安定なため前データにノイズが混入した場合には十分でない。
【００３７】
請求項２、３においては、前データにノイズが混入したような場合にも検知ミスなく判別できる方法を提案している。
【００３８】
この発明方法では、現データと比較される前データにノイズが混入した場合にも対応できるようにするため、前データに代わって常時回線電圧が安定した状態でサンプリングされた基準データが使用されるようになっている。
【００３９】
図６は、本発明における検知判別処理を示しており、図７のフローチャートは本発明方法における処理手順を示している。
【００４０】
図６を参照して説明すると、１回目から５回目のサンプリング時には、サンプリングされた現データに対して、各々の現データに対して所定時間５０ｍｓｅｃ前にサンプリングされた前データが基準データとして、これらの差分が算出され、図３に示した判別基準に照らして判別されているが、５回目のサンプリング時には、判別結果は呼出ありに転じたため、６回目のサンプリング時以降においては、ノイズの混入を疑って基準データは更新せず、呼出なしの判別結果の出た直前の４回目のサンプリング時（判別時点）における基準データを使用している。
【００４１】
この基準データは、次に呼出なしの判別が所定回数、例えば５回（この数は判別結果を確定する回数４よりも多い数に規定される）連続して計数され、回線電圧が安定したと判断されるまで更新されず、呼出なしの判別が連続して５回計数され、回線電圧が安定したと判別された時点で、その時のサンプリグ時において差分を求めるために使用される５０ｍｓｅｃ前にサンプリングされたデータがそのまま、新たな基準データとして用いられている。
なお、図では、１２回目〜１５回目のサンプリング時において呼出ありと連続して４回計数された時点で呼出ありが確定されているが、この間も４回目にサンプリングされた現データに対して使用された基準データ（４回目のサンプリングよりも５０ｍｓｅｃ前にサンプリングされたデータ）が固定的に使用されている。
なお、５回目のサンプリングから７回目のサンプリングにおいては、３回連続して呼出ありが判別されているが、８回目のサンプリングにおいては、呼出なしとされているので、呼出ありは解除される。
【００４２】
また、図７のステップ２００〜２１１におけるフローチャートにおいては、カウンタでは、呼出ありの回数を計数しており、更新カウンタでは、呼出なしの回数が計数され、カウンタの計数値である４より大きい計数値５となった時点で基準データを更新している。
【００４３】
【発明の効果】
本発明によれば、次のような効果がある。
【００４４】
すなわち、請求項１において提案された本発明では、信号線の回線電圧をサンプリングしながら、ドアホン子器からの呼出を検知するので、しきい値を固定して回線電圧のレベルを比較判別する従来の方法に比べて、ノイズに対する影響にも強い。
また、平滑回路によって信号線の回線電圧を安定化させる必要がないので、ハード構成も簡単に出来、しかもマイコンによるソフト処理が可能であるため、システムを大型化させることなく、容易に実現出来る。
【００４５】
また、上記判別基準には、呼出あり、呼出なし、ノイズありの３種の状態を判別するためのしきい値を設けており、判別処理において、呼出なしと判別されたときには、その判別回数をクリアする一方、ノイズありと判別されたときには、呼出ありの判別回数をクリアせずにスキップしている。
【００４６】
このため、ノイズの生じやすい悪条件下においても、検知ミスを生じることなく、呼出検知が行え、特に、ドアホン子器の呼出以外に、ノイズの発生、呼出なしの状態も判別できるので、この判別結果を利用すれば他の種々の制御を行うことも出来る。また、呼出ありの判別回数は、呼出なしを一度でも判断した場合には、呼出ありの判別回数をクリアするが、ノイズありを判断した場合には、呼出ありの判別回数をクリアせずにスキップしているので、ドアホン子器の呼出ボタンが操作され、呼出ありが正しく判別された後に、突発的なノイズが混入しても呼出ありの判別回数がクリアされることがないので、呼出検知をミスすることがなく、迅速な処理が可能となる。
【００４７】
また、請求項２において提案された本発明では、現データとの差を求めるために用いられる基準データは、判別結果が呼出なし以外の状態になった場合には、その直前に呼出なしと判断されたときの値に保持され、呼出なしが所定回数以上連続したときには、次の判別時にサンプリングされる現データよりも所定時間前にサンプリングされた値に変更設定され、サンプリングされた現データに対して差分を求めるために用いられる基準データとしては、回線電圧が安全な状態にあるときにサンプリングされたデータが使用される。
このため、請求項１の検知方法と同様な効果がある上に、ノイズが混入した基準データを用いて誤判断することが防止でき、より信頼性が向上する。
【００４８】
更に請求項３において提案された本発明は、請求項３と同様に現データとの間で差を算出するデータとして基準データが使用されており、判別処理では、現データと前データとの差分を算出し、その差分を予め設定した判別基準に照らして呼出あり、呼出なし、ノイズありの３種の状態を判別しているため、呼出あり以外の状態も判別でき、他の制御に利用できる。
【００４９】
また、請求項２の検知方法と同様にして、回線電圧が安全な状態にあるときにサンプリングされたデータが基準データとして順次更新されて使用され、ノイズが混入した基準データを用いて誤判断することが防止できるので、より信頼性が向上する。
【００５０】
更に、請求項４において提案された本発明は、２線式テレビインターホンシステムにおいて適用され、特にドアホン子器のテレビカメラが駆動されている通話時やモニタ時における再呼出も、待機時と同様な処理手順で、ノイズの影響を受けずに検知することができ、信頼性の高い呼出検知方法が提供出来る。
【００５１】
【図面の簡単な説明】
【図１】本発明方法において利用される現データと前データの差分の比較判別回路の一例を示す。
【図２】呼出検知方法において使用される判別基準を示す図。
【図３】請求項１において提案された呼出検知方法において使用される判別基準を示す図。
【図４】請求項１において提案された呼出検知方法の処理手順を示したフローチャートである。
【図５】２線式テレビインターホンシステムの基本構成図である。
【図６】請求項２、３において提案された呼出検知方法の処理手順を示す説明図である。
【図７】請求項２において提案された呼出検知方法の処理手順を示したフローチャートである。
【図８】２線式テレビインターホンシステムの外観構成図である。
【図９】２線式テレビインターホンシステムの２線式信号線における回線端の信号スペクトルである。
【図１０】２線式テレビインターホンシステムにおける信号線の回線電圧の変化を示す図である。
【図１１】２線式テレビインターホンシステムにおける信号線の回線電圧の変化を示す図である。
【符号の説明】
Ｖ（ｔ）・・・現データ
Ｖ（ｔ−５０）・・・前データ
ΔＶ・・・現データと前データとの差分
Ｌ・・・２線式信号線
ＬＭ・・・レジスタメモリ
Ａ・・・カメラ付ドアホン子器
Ｂ・・・テレビモニタ付インターホン親機
【図１】
0003603405.tif 000002
【図２】
0003603405.tif 000003
【図３】
0003603405.tif 000004
【図４】
0003603405.tif 000005
【図５】
0003603405.tif 000006
【図６】
0003603405.tif 000007
【図７】
0003603405.tif 000008
【図８】
0003603405.tif 000009
【図９】
0003603405.tif 000010
【図１０】
0003603405.tif 000011
【図１１】
0003603405.tif 000012